(57)【要約】【課題】商品の成分等の情報を正確に読めるようにしつつ、消費者にとって商品名をより認識し易くする。【解決手段】商品名を表示させる商品名表示領域（２１）と、成分を表示させる成分等表示領域（２２）と、からなる表示領域を有する容器（１）用のラベル（２）において、商品名表示領域（２１）と成分等表示領域（２２）とが、容器（１）に設けられたときの容器（１）の上下方向に分かれてそれぞれ容器（１）の全周にわたって配置される状態で設けられており、成分等表示領域（２２）は、容器（１）に設けられたときに容器（１）の下端部に配置される状態で設けられており、ラベル全体の上下方向の長さに対する商品名表示領域（２１）の上下方向の長さの比が０．７以上であり、ラベル全体の上下方向の長さに対する成分等表示領域（２２）の上下方向の長さの比が０．２以下である。【選択図】図１
2019073339.tif 000002
【特許請求の範囲】
【請求項１】
商品名を表示させる商品名表示領域と、成分を表示させる成分等表示領域と、からなる表示領域を有する容器用のラベルであって、
前記商品名表示領域と前記成分等表示領域とが、容器に設けられたときの前記容器の上下方向に分かれてそれぞれ前記容器の全周にわたって配置される状態で設けられており、
前記成分等表示領域は、前記容器に設けられたときに前記容器の下端部に配置される状態で設けられており、
ラベル全体の前記上下方向の長さに対する前記商品名表示領域の前記上下方向の長さの比が０．７以上であり、
ラベル全体の前記上下方向の長さに対する前記成分等表示領域の前記上下方向の長さの比が０．２以下である容器用のラベル。
【請求項２】
前記商品名表示領域には、商品名を表示する商品名表示部が、前記容器に設けられたときの周方向に並んで３つ等間隔に配置されている請求項１に記載の容器用のラベル。
【請求項３】
前記成分等表示領域は、前記容器に設けられたときに前記容器の下端から３０ｍｍ以内の高さ範囲に配置される状態で設けられている請求項１又は２に記載の容器用のラベル。
【請求項４】
前記商品名表示領域と前記成分等表示領域とで背景色が異なっている請求項１〜３のいずれか一項に記載の容器用のラベル。
【請求項５】
前記商品名表示領域と前記成分等表示領域との間に境界線が設けられている請求項１〜４のいずれか一項に記載の容器用のラベル。
【請求項６】
前記成分等表示領域はバーコードを表示するバーコード表示部を備え、
前記バーコード表示部は前記容器に設けられたときの周方向に沿うように配置されている請求項１〜５のいずれか一項に記載の容器用のラベル。
【請求項７】
胴部に凹凸が形成されているプラスチックボトル用であり、
前記成分等表示領域は、前記プラスチックボトルに設けられたときに、前記プラスチックボトルの底部周面上に配置される位置に設けられている請求項１〜６のいずれか一項に記載の容器用のラベル。
【請求項８】
シュリンクラベルである請求項７に記載の容器用のラベル。
【請求項９】
請求項１〜８のいずれか一項に記載のラベルを取り付けた容器。
【発明の詳細な説明】
【技術分野】
【０００１】
本発明は、商品名を表示させる商品名表示領域と、成分を表示させる成分等表示領域と、からなる表示領域を有する容器用のラベル、及び、これを取り付けた容器に関する。
【背景技術】
【０００２】
容器の一例であるプラスチックボトル用のラベルでは、一般に、図３に示すように、商品名を表示する商品名表示部１０３を備える商品名表示領域１０１と、成分を表示する成分表示部１０４及びバーコードを表示するバーコード表示部１０５を備える成分等表示領域１０２とが、図中の横方向（プラスチックボトルに設けられたときの周方向）に分かれて設けられている。
【発明の概要】
【発明が解決しようとする課題】
【０００３】
商品名の表示は商品に対する消費者の印象に大きく影響を与えるため、消費者が購買するかを判断するときの基準の一つとなる情報となる。そのため、消費者が商品名を認識し易くできるように、商品名表示領域１０１を出来る限り広い範囲に設けて商品名を大きく表示することが好ましい。これに対し、成分等表示領域１０２を小さくすればその分商品名表示領域１０１を大きくすることができるが、商品の成分等の情報は、正確に読める状態で記載することが法律上求められており、成分等表示領域１０２として、一定量の情報をある程度の大きさの文字で記載するための領域を確保する必要がある。そのため、成分等表示領域１０２を小さくするには制限があり、商品名表示領域１０１の表示範囲を拡げるには限界があった。
【０００４】
そこで、商品の成分等の情報を正確に読めるようにしつつ、消費者にとって商品名をより認識し易くできる容器用のラベル、及び、容器が望まれる。
【課題を解決するための手段】
【０００５】
本発明に係る容器用のラベルは、
商品名を表示させる商品名表示領域と、成分を表示させる成分等表示領域と、からなる表示領域を有する容器用のラベルであって、
前記商品名表示領域と前記成分等表示領域とが、容器に設けられたときの前記容器の上下方向に分かれてそれぞれ前記容器の全周にわたって配置される状態で設けられており、
前記成分等表示領域は、前記容器に設けられたときに前記容器の下端部に配置される状態で設けられており、
ラベル全体の前記上下方向の長さに対する前記商品名表示領域の前記上下方向の長さの比が０．７以上であり、
ラベル全体の前記上下方向の長さに対する前記成分等表示領域の前記上下方向の長さの比が０．２以下である。
【０００６】
成分表示は数字が入ることから一般に横書きとなっているところ、発明者は、同じ量の情報を同じ大きさの文字で記載するとき、１行の長さが短く行数が多い場合（例えば、図３の成分表示部１０４）に比べ、１行の長さをある程度長くして行数をその分少なくした場合の方が可読性が高いことを見出した。つまり、１行の長さを長くして行数を減らした状態とすれば、可読性を高く維持することが可能になる。
【０００７】
そして、この構成によれば、成分を表示させる成分等表示領域が容器の全周にわたって配置されるから、１行の長さを長くして行数を減らした状態で成分を表示することができる。そのため、可読性を高く維持しながらも、成分等表示領域を小さくできる。これにより、商品の成分等の情報を正確に読めるようにしつつ、商品名の表示範囲を拡げることができる。
【０００８】
さらに、この構成では、成分等表示領域を容器の全周にわたって配置する結果、商品名表示領域も容器の全周に配置することが可能になるので、容器が陳列されているときに、容器の向きに関わらず、消費者に商品名を認識させ易くなる。また、容器の下端部に、且つ、ラベル全体の上下方向の長さに対する成分等表示領域の上下方向の長さの比が０．２以下となる状態で成分等表示領域が設けられることで、消費者の目につきやすい容器の中央部分に商品名表示領域を配置することができる。特に、商品棚によっては商品の落下を防止するためのストッパーや、商品名や値段等を表示する表示板が設けられて、陳列された商品の下部がストッパーや表示板により隠されることになる場合があるが、その場合でも、成分等表示領域がラベルの下端で且つ上記の長さ比で設けられることで、ストッパーや表示板により隠されるのは成分等表示領域のみとなり、ストッパーや表示板により商品名表示領域の一部が隠されることを効果的に抑制でき、さらには、成分等表示領域が隠されることで商品名表示領域がより際立つこととなる。このように、この構成によれば、商品名を消費者にとって認識させ易くなる。
【０００９】
１つの態様として、前記商品名表示領域には、商品名を表示する商品名表示部が、前記容器に設けられたときの周方向に並んで３つ等間隔に配置されていると好適である。
【００１０】
つまり、商品名表示部が２つ以下の場合には容器の向きによっては商品名を認識しにくくなるおそれがあり、商品名表示部が４つ以上の場合には各商品名表示部の大きさが小さくなり、消費者に与える印象が弱まってしまうが、この構成のように、商品名表示部が周方向に並んで３つ等間隔に設けられていると、各商品名表示部の大きさを大きく維持しながらも、容器の向きに関わらず消費者に商品名を認識させ易くできる。
【００１１】
１つの態様として、前記成分等表示領域は、前記容器に設けられたときに前記容器の下端から３０ｍｍ以内の高さ範囲に配置される状態で設けられていると好適である。
【００１２】
この構成によれば、商品棚に設けられたストッパーや表示板により成分等表示領域を確度高く隠すことができて、商品名表示領域を消費者にとってより際立たせて表示させることができる。
【００１３】
１つの態様として、前記商品名表示領域と前記成分等表示領域とで背景色が異なっていると好適である。
【００１４】
１つの態様として、前記商品名表示領域と前記成分等表示領域との間に境界線が設けられていると好適である。
【００１５】
これらの構成によれば、商品名表示領域と成分等表示領域との間にメリハリを設けることができ、消費者が成分等表示領域を注視した場合に、消費者にとって成分等の表示が認識しやすくなる。これにより、成分等表示領域に表示する文字の可読性を高く維持することができる。
【００１６】
１つの態様として、胴部に凹凸が形成されているプラスチックボトル用であり、
前記成分等表示領域は、前記プラスチックボトルに設けられたときに、前記プラスチックボトルの底部周面上に配置される位置に設けられていると好適である。
【００１７】
つまり、胴部に凹凸が形成されているプラスチックボトルの胴部に成分等表示領域を配置して、成分等表示領域にボトル形状に沿った凹凸が生じてしまうと、成分表示等の可読性が低下してしまう。そこで、この構成では、成分等表示領域を、複雑な凹凸形状を避けて底部周面に配置されるようにすることにより、成分表示等の可読性が低下することを効果的に抑制できる。
【００１８】
１つの態様として、シュリンクラベルであると好適である。
【００１９】
シュリンクラベルの場合、ラベルにボトル形状に沿った凹凸が生じ易くなるが、成分等表示領域が底部周面に配置されるラベルとすることで、かかる問題を好適に抑制できる。
【００２０】
本発明に係る容器は、
上記本発明に係るラベルを取り付けたものである。
【００２１】
この構成によれば、ラベルに表示された商品名を消費者にとって認識させ易くなる。
【図面の簡単な説明】
【００２２】
【図１】ラベルの表面を示す図
【図２】アイトラッキング分析の結果の一例を示す図
【図３】従来例のラベルの表面を示す図
【図４】比較試験２におけるボトルの陳列方法を示す図
【発明を実施するための形態】
【００２３】
本発明に係る容器用のラベル、及び、これを取り付けた容器の実施形態について、図面を参照して説明する。本実施形態では、容器の一例として胴部１３に減圧吸収パネル１５を備えるプラスチックボトル１を用い、本発明に係るラベルを、このプラスチックボトル１に対して取り付けるシュリンクラベルに適用した例について説明する。
【００２４】
まず、本実施形態のプラスチックボトル（以下、単にボトルと称する）１は、上から順に、内容物の注ぎ口となる口部１１、口部１１と連続し、底面方向に向かうにつれて徐々に拡径する肩部１２、肩部１２と連続する円筒状の胴部１３と、胴部１３と連続する有底筒状の底部１４と、を備えており、胴部１３の周面に減圧吸収パネル１５が設けられて、胴部１３に凹凸が形成された状態となっている。なお、底部１４については、周方向においては凹凸は形成されていない状態になっている。
【００２５】
また、本実施形態のボトル１は、例えば、ポリエチレン、ポリプロピレン、ポリエチレンテレフタレート等の熱可塑性樹脂を主材料とするものである。プラスチックボトル１の容量は特に限定されず、一般的に流通している２００ミリリットル〜２リットル程度とすることができる。また、ボトル１に充填させる内容物は特に限定されず、例えば、飲料水、炭酸飲料、茶、果汁、コーヒー、ココア、清涼飲料水、アルコール飲料、乳飲料、スープなどの飲料や、ソースや醤油などの液体調味料などが挙げられる。
【００２６】
本実施形態のラベル２は、商品名（文字、図形、記号やこれらの組み合わせであり、消費者に対してその商品を認識させるもの）を表示させる商品名表示領域２１と、成分等表示（名称、消費期限又は賞味期限、原材料等の消費者向けに販売する際に表示が必要になる事項）やバーコードを表示させる成分等表示領域２２と、からなる表示領域（図中の商品名表示領域２１と成分表示領域２２とからなる領域）を有する（図面では、具体的表示内容については省略してある）。具体的には、商品名表示領域２１には商品名を表示する商品名表示部２３が１又は複数設けられ、成分等表示領域２２には成分等表示を表示する成分等表示部２４とバーコードを表示するバーコード表示部２５が設けられている。なお、成分等表示部２４では成分等が横書きで記載されており、バーコード表示部２５はボトル１に設けられたときの周方向に沿うように配置されている。
【００２７】
また、本実施形態のラベル２は、いわゆるシュリンクラベルであり、一方側ののりしろ２６を他方側ののりしろ２７に接着することでラベル２を筒状に成形し、筒状に成形したラベル２の内側にボトル１を配置した状態でラベル２を熱収縮させることによりボトル１に取り付けるものである。そして、本実施形態のラベル２は、少なくとも胴部１３の全面を覆うようになっており、具体的には、ボトル１の周面のうち、肩部１２における胴部１３との境界付近から底部１４の底面付近までの周面を覆うようになっている。さらに、本実施形態に係るボトル２では、商品名を消費者にとって認識させ易くするため、以下の構成を有している。
【００２８】
まず、本実施形態では、商品名表示領域２１と成分等表示領域２２とが、ボトル１に設けられたときのボトル１の上下方向に分かれてそれぞれボトル１の全周にわたって配置される状態で設けられている。そして、成分等表示領域２２は、ボトル１に設けられたときにボトル１の下端部（本実施形態ではボトル１の底部１４）に配置される状態で設けられており、ラベル全体の上下方向の長さに対する商品名表示領域２１の上下方向の長さの比が０．７以上であり、ラベル全体の上下方向の長さに対する成分等表示領域２２の上下方向の長さの比（つまり、成分等表示領域２２の上下方向の長さ／ラベル全体の上下方向の長さ）が０．２以下としてある。また、本実施形態では、成分等表示領域２２は、ボトル１に設けられたときにボトル１の下端から３０ｍｍ以内の高さ範囲に配置される状態で設けられている。
【００２９】
これについて説明すると、発明者は、同じ量の情報を同じ大きさの文字で記載するとき、１行の長さが短く行数が多い場合に比べ、１行の長さをある程度長くして行数をその分少なくした場合の方が可読性が高くなるという知見に基づき、１行の長さを長くして行数を減らした状態とすれば、可読性を高く維持することが可能になることを見出した。そのため、成分を表示させる成分等表示領域２２をボトル１の全周にわたって配置することで、１行の長さを長くして行数を減らした状態で成分を表示することができる。これにより、可読性を高く維持しながらも、成分等表示領域２２を小さくできる。これにより、商品の成分等の情報を正確に読めるようにしつつ、商品名の表示範囲を拡げることが可能になっている。
【００３０】
さらに、商品名表示部２３もボトル１の全周に配置してあるので、ボトル１が陳列されているときに、ボトル１の向きに関わらず、消費者に商品名を認識させ易くなる。また、ラベル２の下端で、且つ、ラベル全体の上下方向の長さに対する成分等表示領域の上下方向の長さの比が０．２以下となる状態で成分等表示領域２２が設けられることで、消費者の目につきやすいボトル１の中央部分に商品名表示部２３を配置することができる。特に、商品を陳列する商品棚によっては商品の落下を防止するためのストッパーや、商品名や値段等を表示する表示板が設けられて、陳列された商品の下部がストッパーや表示板により隠されることになる場合があるが、その場合でも、成分等表示領域２２がラベル２の下端で且つ上記の長さ比・高さで設けられることで、ストッパーや表示板により隠されるのは成分等表示領域２２のみとなり、ストッパーや表示板により商品名表示部２３の一部が隠されることを効果的に抑制でき、さらには、成分等表示領域２２が隠されることで商品名表示部２３がより際立つこととなる。このように、本実施形態に係るラベル２によれば、商品名を消費者にとって認識させ易くなっている。
【００３１】
そして、本実施形態では、商品名表示領域２１には、商品名を表示する商品名表示部２３が、ボトル１に設けられたときの周方向に並んで３つ等間隔に配置されている。このように、商品名表示部２３が周方向に並んで等間隔に３つ設けられていると、ボトル１の向きに関わらず、消費者が商品名をより認識し易くなる。また、各商品名表示部２３をそれぞれ同じ表示内容とすることで、消費者にとって、ボトル１の向きに関わらず、見え方を均質なものとできる。なお、このように商品名表示部２３を配置することで、各商品名表示部２３を、それぞれ周方向に中心角１２０度の範囲で設けることができるが、消費者に商品名を認識させ易くする観点からは、各商品名表示部２３の周方向の範囲を少なくとも全体の半分（中心角６０度）以上とすると好ましく、２／３（中心角８０度）以上とするとより好ましい。
【００３２】
また、本実施形態では、商品名表示領域２１と成分等表示領域２２とで背景色を異ならせてある（図１中では省略してある）。例えば、商品名表示領域２１と成分等表示領域２２とが異なる色で着色されていたり、一方は着色されているのに対し、他方は背景が透明色となっていることが挙げられる。さらに、本実施形態では、商品名表示領域２１と成分等表示領域２２との間に境界線２８が設けられている。これらの構成により、商品名表示領域２１と成分等表示領域２２との間にメリハリを設けることができ、消費者が成分等表示領域２２を注視した場合に、消費者にとって成分等の表示が認識しやすくなる。これにより、可読性を高く維持することができる。
【００３３】
また、シュリンクラベルであるラベル２を減圧吸収パネル１５が設けられているボトル１に設けた場合には、ラベル２にもボトル１に沿った凹凸が生じることになる。そして、成分等表示部２４やバーコード表示部２５にこのような凹凸が生じてしまうと、成分表示等の可読性が低下したり、バーコードリーダーでバーコードを認識しにくくなる。そこで、本実施形態のラベル２では、成分等表示領域２２は、ボトル１に設けられたときに、ボトル１の底部１４の周面上にのみ配置される範囲に設けられている。つまり、減圧吸収パネル１５パネルが設けられたボトル１であっても、自立確保のために、パネル１５は底部１４の周面を避けて、胴部１３の周面に設けられるものであるため、底部１４の周面については複雑な凹凸形状は形成されておらず、成分等表示領域２２がボトル１の底部１４の周面上に配置されるようにすることにより、成分等表示部２４やバーコード表示部２５に凹凸が生じることを抑制できる。また、商品名表示領域２１がボトル１の底部１４を除く部分に配置されることになるから、商品名表示部２３を大きく表示することができる。
【実施例】
【００３４】
次に、本実施形態に係るラベル２の効果の一例として、図３に示すような従来のラベル１００（つまり、商品名表示領域１０１と成分等表示領域１０２とが横方向に分かれて設けられているラベル）を取り付けた比較例のボトルと、本実施形態に係るラベル２を取り付けた実施例のボトルと、を商品棚に陳列したときの消費者の行動等を比較した結果について説明する。具体的には、調査対象者（９６人）に様々な種類のボトルを陳列している商品棚の中からいずれか一つの商品を購入してもらうこととし、商品棚の中に、ある商品名の比較例のボトルを陳列したときの結果と、比較例のボトルと同じ条件・商品名・商品名表示部２３の色合いで実施例のボトルを商品棚に陳列したときの結果と、を比較した結果について説明する。
【００３５】
〔比較試験１〕
まず、比較例のボトルと実施例のボトルとについて行ったアイトラッキング分析（人の眼球の動きをトラッキング（追跡）して記録・分析する手法）の結果を示す。図２は、アイトラッキング分析の結果をヒートマップにて示したものであり、一定以上視線が集まっている部位を着色して表示してある。そして、色が濃い部分ほど、より人の視線が集まっていることを示す（なお、図２では、各ラベルの商品名等の表示については省略している）。図２から明らかなように、実施例のボトルの方が着色された部位が広範囲にわたっており、また、色の濃い部分も多いことがわかる。このことから、実施例のボトルの方が消費者の視線を集めやすく、商品名を消費者にとって認識させ易いボトルとなっていることがわかる。
【００３６】
また、アイトラッキング分析と併行して行われた、「購入率」と「商品名を覚えている割合」についての調査の結果を表１に示す。「購入率」は、様々な種類のボトルが陳列されている商品棚の中から、比較例のボトル又は実施例のボトルを購入した人の割合であり、「商品名を覚えている割合」は、商品購入後、調査対象者に、商品棚に陳列されていた商品の商品名のうち覚えているものを列挙してもらい、比較例のボトル又は実施例のボトルの商品名を覚えていた人の割合である。
【００３７】
【表１】
2019073339.tif 000003
【００３８】
表１から明らかなように、実施例のボトルの方が「購入率」及び「商品名を覚えている割合」の両者が高くなっていることがわかる。そして、「商品名を覚えている割合」が高くなっていることから、実施例のボトルの方が商品名を消費者にとって認識させ易いボトルとなっていることがわかる。また、「購入率」が高くなっていることから、消費者にとって実施例のボトルが印象に残り手に取りやすくなっていることがわかり、これは商品名が消費者にとって認識し易く、且つ、消費者の視線を集めやすくなっているためであると考えられる。
【００３９】
〔比較試験２〕
次に、比較例のボトルと実施例のボトルとについて、ボトルの陳列方法と消費者の視線を集める効果との関係を調査した。各ボトルを陳列するにあたり、比較試験１では各ボトルの向きを不作為にして陳列したのに対し、比較試験２では各ボトルの商品名表示領域が正面から見えづらい配置（図４）で陳列した。その他の条件は比較試験１と同様にして試験を行い、「商品名を覚えている割合」について調査した。
【００４０】
ここで、各ボトルの「商品名表示領域が正面から見えづらい配置」とは、ボトルの正面視において商品名表示領域が占める割合が最も小さくなる配置をいう。比較例のボトルでは、成分等表示領域１０２（成分表示部１０４及びバーコード表示部１０５）が周方向に中心角１２０度の範囲で存在し、この範囲には商品名表示領域１０１（商品名表示部１０３）が存在しない。そのため、商品名表示領域１０１が正面から見えづらい配置とは、成分等表示領域１０２を正面方向に向けた配置である。この配置で比較例のボトルが陳列されるとき、消費者が目視できるボトル正面部の大部分が成分等表示領域１０２で占められる。一方、実施例のボトルの商品名表示領域２１には、商品名表示部２３が周方向に並んで等間隔に３つ設けられている。そのため、商品名表示領域２１が正面から見えづらい配置とは、隣接する２つの商品名表示領域２１の境界部が正面に位置する配置である。この配置で実施例のボトルが陳列されたときであっても、ボトル正面部の相当の部分が商品名表示部２３で占められる。
【００４１】
以上の陳列方法により各ボトルを陳列して試験を行った場合の「商品名を覚えている割合」についての調査の結果を表２に示す。なお比較のため、比較試験１における「商品名を覚えている割合」についての調査の結果も再掲している。表２より明らかなように、比較例のボトルにおいては、商品名表示領域が正面から見えづらい配置でボトルを陳列することにより、不作為に配置した比較試験１の場合より「商品名を覚えている割合」が低下したが、実施例のボトルにおいてはむしろ上昇した。この結果より、実施例のボトルは販売時の陳列方法に関わらず商品名を消費者に認識させ易いボトルとなっていることがわかる。
【００４２】
【表２】
2019073339.tif 000004
【００４３】
以上のように、本実施形態に係るラベル２は、商品名を消費者にとって認識させ易くなっていることがわかる。
【００４４】
〔その他の実施形態〕
最後に、本発明に係る容器用のラベル、及び、これを取り付けた容器について説明する。なお、以下のそれぞれの実施形態で開示される構成は、矛盾が生じない限り、他の実施形態で開示される構成と組み合わせて適用することも可能である。
【００４５】
（１）上記の実施形態では、プラスチックボトル１に取り付けるラベル２を例にして説明した。しかし、本発明の実施形態はこれに限定されず、取り付け対象とする容器は飲料用の缶など種々の容器であってもよい。なお、この場合、容器の形状は特に限定されないが、円筒状の胴部を有する容器であると好適である。また、上記の実施形態で示したボトル１の構成はあくまでも例示であり、パネル１５を有していなくてもよく、適宜変更可能である。
【００４６】
（２）上記の実施形態では、商品名表示部２３が３つ設けられた構成を例に説明したが、商品名表示部２３の数は特に限定されず、２以下、又は、４以上であってもよい。また、各商品名表示部２３の大きさは全て同じでなくてもよく、それぞれ異ならせてもよい。また、成分等表示領域２２は、容器の底面から高さ３０ｍｍを超えて配置されるようにしてもよく、商品名表示領域２１と成分等表示領域２２とで背景色が異ならせなくてもよいし、商品名表示領域２１と成分等表示領域２２との間に境界線２８を設けなくてもよいなど、成分等表示領域２２の構成は適宜変更可能である。
【００４７】
（３）上記の実施形態では、ラベル２をシュリンクラベルとした構成を例に説明したが、本発明の実施形態はこれに限定されず、ロールラベルなど他の種類のラベルで構成してもよい。
【００４８】
（４）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００４９】
本発明は、例えば飲料等を充填する容器に利用することができる。
【符号の説明】
【００５０】
１        プラスチックボトル（容器）
２        ラベル
２１      商品名表示領域
２２      成分等表示領域
２３      商品名表示部
２４      成分等表示部
【図１】
2019073339.tif 000005
【図２】
2019073339.tif 000006
【図３】
2019073339.tif 000007
【図４】
2019073339.tif 000008